(57)【要約】      （修正有）【課題】輸送中においてインキカートリッジが不用意に動くのを防止することができる印判を提供する。【解決手段】印面を昇降自在に収納するスライド１と、前記印面の上部にセットされるインキカートリッジを備えた直液式印判であって、前記インキカートリッジとスライド１の間に、インキカートリッジが下動するのを防止するカートリッジ固定具２１を着脱自在に取り付けた。また、前記インキカートリッジ側面に係合片２ａ、スライドに係合部１ａをそれぞれ設け、カートリッジ固定具２１が、前記係合片２ａ及び係合部１ａに係合することでインキカートリッジの下動を防止する構造とした。【選択図】図５
2020131480.tif 000002
【特許請求の範囲】
【請求項１】
印面を昇降自在に収納するスライドと、前記印面の上部にセットされるインキカートリッジを備えた印判であって、前記インキカートリッジとスライドの間に、インキカートリッジが下動するのを防止するカートリッジ固定具を着脱自在に取り付けたことを特徴とする印判。
【請求項２】
インキカートリッジ側面に係合片、スライドに係合部をそれぞれ設け、カートリッジ固定具が、前記係合片及び係合部に係合することでインキカートリッジの下動を防止する請求項１に記載の印判。
【請求項３】
カートリッジ固定具が、インキカートリッジの搖動を防止する爪状のカートリッジ搖動防止片を備えている請求項１または２に記載の印判。
【請求項４】
インキカートリッジの下端開口部には密封用シールを設け、スライド又は印面の上部のいずれか一方であって、前記密封用シールと対向する位置に、前記密封用シールを破断する突起を設け、前記インキカートリッジの下動に際し、前記密封用シールを破断するように構成した請求項１〜３のいずれかに記載の直液式の印判。
【請求項５】
インキカートリッジがインキ吸収体である請求項１〜３に記載の吸収体式の印判。
【請求項６】
捺印の際に印面を押し下げるためのホルダを有し、該ホルダとインキカートリッジが一体化している請求項１〜５のいずれかに記載の印判。
【発明の詳細な説明】
【技術分野】
【０００１】
本発明は、輸送中においてインキカートリッジが不用意に動くのを防止することができる印判に関するものである。
【背景技術】
【０００２】
従来から、会社名や住所等を表示したり、製品名や品質等を表示したり、検査済みの検印を表示したりなど、様々な場所で印判が広く用いられている。この場合の印判は、インキを含浸させたインキ吸蔵体をスタンパ内に内蔵した吸収体式印判や、直液式インキカートリッジをスタンパ内に内蔵した直液式印判がある。
【０００３】
近年、前記印判を販売する店頭などに設置したサーマル加工機を用いて、顧客がデザインした印面パターンをその場で加工し、これによりオリジナルの印判を手軽に受け取ることができるサービスが提供され評判を呼んでいる。
この種の印判は、印字体（ステンシル）が多孔質膜で形成される。印字体には、加工機のサーマルヘッドにより、インキ浸透率が大きい捺印部と、インキ浸透率が小さい非捺印部とが高精度に加工される。印字体の背面には、ケース体内のインキ吸蔵体或いは直液式インキカートリッジが当接し、これにより印字体にインキが供給される。
ところで、未加工の印字体にインキが含浸した状態では、熱加工制御が困難であるとともに、加工時にサーマルヘッドやフィルム等の部材を汚損する等の不具合が生じるおそれがある。このような不具合を防ぐため、印字体とインキカートリッジとが当接しない位置に保持され、印字体の枠に外力を加えこれらを嵌合させることで、印字体とインキカートリッジとを当接させるようにした印判及びその製造方法がある。しかし、印字体をケース体に嵌合する構成であるため、市場での流通時に不測の外力が加えられると、印字体とケース体とが嵌合し、その結果印字体へのインキの浸透が開始してしまう場合があった。
【０００４】
また、特許文献１に示されるような直液式のインキカートリッジの場合は、インキカートリッジを予め装着した状態で出荷すると、空輸や陸送等の途中での急激な圧力・温度等の変化でカートリッジ内の内圧上昇が生じ、インキ漏れを生じるというおそれがあった。一方、それを避けるために、インキカートリッジと印判本体とを別々に出荷する方法もあるが、購入後に消費者が組み立てるのは手間がかかり面倒であるという問題や、出荷時に印判内に仮置きしてあるカートリッジに強い振動等が作用して不用意に下動すると、カートリッジの口部を密封するシールが破損してインキ漏れを生じる場合があるという問題があった。
【先行技術文献】
【特許文献】
【０００５】
【特許文献１】実開昭６１−２２６５２号公報
【発明の概要】
【発明が解決しようとする課題】
【０００６】
本発明は上記のような従来の問題点を解決して、インキカートリッジと印判本体（印面）とを互いに当接しない状態で出荷し、且つインキカートリッジの不用意な下動を制御することで、印面への不用意なインキ供給や、輸送中の環境変化に伴うインキ漏れが生じるのを確実に防止することができ、また消費者は購入後に簡単な操作でインキの含浸処理作業ができて優れた操作性発揮できる印判を提供することを目的とするものである。
【課題を解決するための手段】
【０００７】
上記課題を解決するためになされた本発明の印判は、印面を昇降自在に収納するスライドと、前記印面の上部にセットされるインキカートリッジを備えた印判であって、前記インキカートリッジとスライドの間に、インキカートリッジが下動するのを防止するカートリッジ固定具を着脱自在に取り付けたことを特徴とするものであり、これを請求項１に係る発明とする。
【０００８】
好ましい実施形態によれば、前記インキカートリッジ側面に係合片、スライドに係合部をそれぞれ設け、カートリッジ固定具が、前記係合片及び係合部に係合することでインキカートリッジの下動を防止するのが好ましく、これを請求項２に係る発明とする。
【０００９】
また、その他の好ましい実施形態によれば、前記カートリッジ固定具が、インキカートリッジの搖動を防止する爪状のカートリッジ搖動防止片を備えているのが好ましく、これを請求項３に係る発明とする。
【００１０】
また、その他の好ましい実施形態によれば、前記インキカートリッジの下端開口部には密封用シールを設け、スライド又は印面の上部のいずれか一方であって、前記密封用シールと対向する位置に、前記密封用シールを破断する突起を設け、前記インキカートリッジの下動に際し、前記密封用シールを破断するように構成したものが好ましく、これを請求項４に係る発明とする。
【００１１】
また、その他の好ましい実施形態によれば、前記インキカートリッジがインキ吸収体であるのが好ましく、これを請求項５に係る発明とする。
【００１２】
また、その他の好ましい実施形態によれば、捺印の際に印面を押し下げるためのホルダを有し、該ホルダとインキカートリッジが一体化しているのが好ましく、これを請求項６に係る発明とする。
【発明の効果】
【００１３】
請求項１に係る発明では、印面を昇降自在に収納するスライドと、前記印面の上部にセットされるインキカートリッジを備えた印判であって、前記インキカートリッジとスライドの間に、インキカートリッジが下動するのを防止するカートリッジ固定具を着脱自在に取り付けたものとしたので、インキカートリッジと印判本体とが別々の状態で出荷され輸送中等にインキ漏れが生じるのを防止することができる。また、使用に際して消費者は前記カートリッジ固定具を取り外して前記印面とインキカートリッジとを連通させるのみの簡単な操作で使用を開始することができる。
【００１４】
また、請求項２に係る発明では、前記インキカートリッジ側面に係合片、スライドに係合部をそれぞれ設け、カートリッジ固定具が、前記係合片及び係合部に係合することでインキカートリッジの下動を防止するものとしたので、カートリッジ固定具の着脱を容易に行うことができる。
【００１５】
また、請求項３に係る発明では、前記カートリッジ固定具が、インキカートリッジの搖動を防止する爪状のカートリッジ搖動防止片を備えているものとしたので、輸送中等におけるインキカートリッジの搖左右の搖動によるガタつきを防止することができる。
【００１６】
また、請求項４に係る発明では、インキカートリッジの下端開口部には密封用シールを設け、スライド又は印面の上部のいずれか一方であって、前記密封用シールと対向する位置に、前記密封用シールを破断する突起を設け、前記インキカートリッジの下動に際し、前記密封用シールを破断するように構成したので、輸送中等にホルダに不測の力が加わったとしてもホルダが下動することがなく、印面とインキカートリッジとの連通を防ぎ、輸送中等にインキ漏れが生じるのを防止することができ、一方、使用開始に際しては、カートリッジの密封用シールを簡単に破断することができる。
【００１７】
また、請求項５に係る発明では、インキカートリッジをインキ吸収体としたので、インキ吸収体式の印判にも適用してインキ漏れが生じるのを防止することができる。
【００１８】
また、請求項６に係る発明では、捺印の際に印面を押し下げるためのホルダを有し、該ホルダとインキカートリッジが一体化しているものとしたので、前記ホルダにより持ち手が確保され捺印が容易となる。また、使用者はホルダを押し下げるだけでインキの供給ができ、優れた操作性を奏することができる。
【図面の簡単な説明】
【００１９】
【図１】本発明の実施の形態を示す斜視図である。
【図２】本発明の実施の形態を示す側面図である。
【図３】図１のＡ−Ａ断面図である。
【図４】図１のＢ−Ｂ断面図である。
【図５】カートリッジ固定具を取り外した状態を示す斜視図である。
【図６】インキカートリッジを示す正面図である。
【図７】インキカートリッジを示す斜視図である。
【発明を実施するための形態】
【００２０】
以下に、図面を参照しつつ本発明の好ましい実施の形態を示す。
図１は本発明に係る直液式印判の一例を示す斜視図、図２はその正面図、図３は図１のＡ−Ａ断面図、図４は図１のＢ−Ｂ断面図である。図において、１はスライド、２はホルダであり、前記スライド１内には印面３が昇降自在に収納されている。そして、前記ホルダ２の押し下げ動作によってカバー４、４が開かれるのと同時に印面３が下降して露呈され、捺印可能な状態となる印判構造であるが、このような構造は従来のこの種の印判と基本的に同様である。尚、本発明において、ホルダ２は無くても動作上問題なく、その場合、インキカートリッジの一部がホルダの役割を果たす。
【００２１】
本発明は、直液式のインキカートリッジを備えた直液式印判であり、前記ホルダ２とスライド１の間には、インキカートリッジ１１が動くのを防止するためのカートリッジ固定具２１が着脱自在に取り付けられている。ここでインキカートリッジとは、インキの貯蔵体と定義し、直液式のカートリッジのみならずインキ吸収体も含んでおり、本実施例では直液式インキカートリッジとして説明する。
本発明は、インキカートリッジ１１と印判本体とを別々の状態で出荷することにより、輸送中等において印面３への不用意なインキ供給や、輸送中の環境変化に伴うインキ漏れが生じるのを防止しているが、前記カートリッジ固定具２１は、インキカートリッジ１１と印面３とを離れた状態に保持すること、および使用に際して消費者は前記カートリッジ固定具２１を取り外して前記印面３とインキカートリッジ１１とを容易に連通させて印判の使用開始ができるようにすることの二つを同時に解決することを技術的課題としている。そのために本発明では、前記カートリッジ固定具２１を着脱自在に取り付けた構造としている。
【００２２】
前記カートリッジ固定具２１は、図５に示されるように、ホルダ２の下動を防止する板状のホルダ下動防止片２２からなるものである。
即ち、この板状のホルダ下動防止片２２を、ホルダ２の係合片２ａとしての下端部とスライド１の係合部１ａとしての段部との間に装着することで、ホルダ２を押し下げたとしても下方へ動くことができないようにするのである。この結果、インキカートリッジ１１は押し下げられないので、口部の密封用シール１２が突起５により破られることがなくインキ漏れは生じない。なお、前記突起５は印面３の上部に設けられた筒状管であり、先端が尖っていてインキカートリッジ１１が下降した時には前記シール１２を破り、インキを印面３へ導入させるインキ導入管を兼ねている。ここで、前記インキカートリッジ１１は前記ホルダ２と一体化していても良く、その場合、前記ホルダ下動防止片２２はインキカートリッジの下端部が係合片２ａとなり、スライド１の係合部１ａとしての段部との間に装着され、インキカートリッジの下動を防止できる。
【００２３】
また、前記カートリッジ固定具２１は、図５に示されるように、インキカートリッジ１１の搖動を防止する爪状のカートリッジ搖動防止片２３からなるものである。このカートリッジ搖動防止片２３はインキカートリッジ１１の軸方向に対して垂直方向から把持する２本の爪で構成されている。
前記カートリッジ搖動防止片２３は、インキカートリッジ１１の溝部１３（図６、図７を参照）に、前記２本の爪を挟み込むことでインキカートリッジ１１を固定して、輸送中に衝撃等により不測の力が加わったとしても、インキカートリッジ１１が左右に搖動するのを防止している。
【００２４】
更に、前記カートリッジ固定具２１は、図５に示されるように、ホルダ２の下動を防止する板状のホルダ下動防止片２２と、インキカートリッジ１１の搖動を防止する爪状のカートリッジ搖動防止片２３の両方を備えているものとするのが好ましい。
この場合は、インキカートリッジ１１は押し下げられないので、口部の密封用シール１２がインキ導入管５により破られることがなくインキ漏れは生じない。また、インキカートリッジ１１が搖動したり軸方向に移動等しないので、インキカートリッジ１１のシール１２が破損することがなくインキ漏れは生じないこととなり好ましい。
【００２５】
以下に、本発明のインキカートリッジの着脱操作について説明する。
先ず、本発明の直液式印判を出荷する場合は、シール１２で密封した状態のインキカートリッジ１１を、ホルダ２内に仮セットした状態とし、このホルダ２をスライド１に組み込む。更に、カートリッジ固定具２１を所定位置に装着して、板状のホルダ下動防止片２２でホルダ２の下動を防止するとともに、爪状のカートリッジ搖動防止片２３でインキカートリッジ１１の搖動を防止する。これにより、輸送中におけるインキの漏れが確実に防止されることとなる。
【００２６】
次に、消費者が直液式印判を購入後に前記使用する場合は、前記カートリッジ固定具２１を取外して使用に供するが、このカートリッジ固定具２は引き抜くだけの簡単な操作で行える。次いで、ホルダ２を捺印するのと同様に押し下げると、インキカートリッジ１１も下降して口部の密封用シール１２がインキ導入管５により破られ、印面３にインキの供給が行われることとなる。その後は、通常の印判と同様、連続して捺印処理が行えることとなる。
【００２７】
以上の説明からも明らかなように、本発明は面を昇降自在に収納するスライドと、前記印面の上部にセットされるインキカートリッジを備えた印判であって、前記インキカートリッジとスライドの間に、インキカートリッジが下動するのを防止するカートリッジ固定具を着脱自在に取り付けたものとしたので、インキカートリッジと印判本体とが別々の状態で出荷され輸送中等にインキ漏れが生じるのを防止することができる。また、使用に際して消費者は前記カートリッジ固定具を取り外して前記印面とインキカートリッジとを連通させるのみの簡単な操作で使用を開始することができる。更には、直液式印判の場合は、大量の捺印処理を行えることとなり、またインキカートリッジの交換も容易であり、コストパフォーマンスにも優れているという利点もある。
【符号の説明】
【００２８】
１  スライド
１ａ  係合部
２  ホルダ
２ａ  係合片
３  印面
４  カバー
５  突起
１１  インキカートリッジ
１２  シール
１３  溝部
２１  カートリッジ固定具
２２  ホルダ下動防止片
２３  カートリッジ搖動防止片
【図１】
2020131480.tif 000003
【図２】
2020131480.tif 000004
【図３】
2020131480.tif 000005
【図４】
2020131480.tif 000006
【図５】
2020131480.tif 000007
【図６】
2020131480.tif 000008
【図７】
2020131480.tif 000009